(57)【要約】  ２種類の成分（Ａ、Ｂ）を包装するためのシステムは、第１の成分を収容するように意図されており、かつ蓋を有する第１の容器（２）を備えている。このシステムはまた、第２の成分を収容するための第２の容器（３）を備えており、この第２の容器は第１の容器の容積内に配置されている。このシステムはまた、第２の容器を第１の容器に対して密封する混合ヘッド（５）を備えている。
2021519731.tif 000002
【特許請求の範囲】
【請求項１】
下記を備える、２種類の成分（Ａ、Ｂ）を包装するためのシステム（１）：
第１の成分（Ａ）を受け入れるための第１の容器（２）であり、かつ蓋（４）を有する第１の容器（２）；
第２の成分（Ｂ）を受け入れるための第２の容器（３）であって、前記第１の容器（２）が前記蓋（４）で閉鎖されているときに前記第１の容器（２）の容積内に配置されている第２の容器（３）；
前記第２の容器（３）を前記第１の容器（２）に対して密封する混合ヘッド（５）。
【請求項２】
第１の密封要素（８）が前記第２の容器（３）に配置されており、かつ第２の密封要素（１０）が前記混合ヘッド（５）に配置されている、請求項１に記載のシステム（１）。
【請求項３】
前記第１の密封要素（８）及び前記第２の密封要素（１０）が、それぞれねじ山を備えており、それによって、前記混合ヘッド（５）を前記第２の容器（３）にねじ留め可能になっており、前記第２の容器（３）を流体密封及び／又は気密及び／又は蒸気密封様式で閉鎖することができるようになっている、請求項２に記載のシステム（１）。
【請求項４】
前記混合ヘッド（５）が、前記第２の容器（３）のベース部分を実質的に形成している、請求項３に記載のシステム（１）。
【請求項５】
前記第１の密封要素（８）及び／又は前記第２の密封要素（１０）が、弾性要素として構成されている、請求項２に記載のシステム（１）。
【請求項６】
前記弾性要素が密封リップとして構成されている、請求項５に記載のシステム（１）。
【請求項７】
前記混合ヘッド（５）は、前記密封要素（８、１０）が前記第２の容器（３）を前記第１の容器（２）に対して密封するように、前記第２の容器（３）のベース部分上に配置可能であり、前記ベース部分は少なくとも１つの開口（１９）を有する、請求項５又は６に記載のシステム（１）。
【請求項８】
前記システム（１）が、前記混合ヘッド（５）に操作可能に接続できる延長要素（６）を備えており、それによって、前記混合ヘッド（５）を垂直に変位させることができるようになっている、請求項１〜７のいずれか一項に記載のシステム（１）。
【請求項９】
前記延長要素（６）が棒状の要素として構成されており、かつ／又は前記延長要素（６）をねじ留め式接合によって前記混合ヘッド（５）に操作可能に接続することができる、請求項８に記載のシステム（１）。
【請求項１０】
前記混合ヘッド（５）がシャフト（１６）及びディスク（１１）を備えており、かつ／又は前記混合ヘッド（５）が前記混合ヘッド（５）から突出する撹拌ピン（１７）を備えている、請求項１〜９のいずれか一項に記載のシステム（１）。
【請求項１１】
前記第２の容器（３）が前記第１の容器（２）の前記蓋（４）に配置されている、請求項１〜１０のいずれか一項に記載のシステム（１）。
【請求項１２】
前記第２の容器（３）が、少なくとも１つの開口（１９）を有するベース部分（１８）を備え、かつ前記第１の容器（２）の壁及び蓋（４）によってさらに境界を定められる、請求項１〜１０のいずれか一項に記載のシステム（１）。
【請求項１３】
下記を備える製品（１２）：
請求項１〜１２のいずれか一項に記載のシステム（１）；
前記第１の容器（２）内に配置された第１の成分（Ａ）；及び
前記第２の容器（３）内に配置された第２の成分（Ｂ）。
【請求項１４】
下記の工程を含む、一緒に包装された２種類の成分（Ａ、Ｂ）を保管及び使用する方法：
第１の容器（２）と第２の容器（３）を提供すること、ここで前記第２の容器（３）を前記第１の容器（２）の容積内に配置する；
前記第２の容器（３）を前記第１の容器（２）に対して密封するための混合ヘッド（５）を提供すること；
前記第１の容器（２）を所定量の第１の成分（Ａ）で充填すること；
前記第２の容器（３）を所定量の第２の成分（Ｂ）で充填すること；
前記２種類の成分（Ａ、Ｂ）を前記２つの容器（２、３）内で保管すること；
前記混合ヘッド（５）を垂直方向に変位させ、それによって、前記第１の容器（２）に対して前記第２の容器（３）を開け、かつ前記成分（Ａ、Ｂ）を合わせること、この間、前記第１の容器（２）は前記蓋（４）によって閉鎖されている；
前記成分（Ａ、Ｂ）を混合すること、ここで前記混合ヘッド（５）が回転軸の周りで回転し、かつ／又は垂直方向に移動し、この間、前記第１の容器（２）は前記蓋（４）によって閉鎖されている；及び
前記第１の容器（２）を開け、かつ前記第１の容器（２）から混合物（Ａ、Ｂ）を取り出すことによって前記混合物（Ａ、Ｂ）を使用すること。
【請求項１５】
請求項１〜１２のいずれか一項に記載のシステム（１）を用いて実行する、請求項１４に記載の方法。
【発明の詳細な説明】
【技術分野】
【０００１】
本発明は、２種類の成分を包装するためのシステムに関する。特に、本発明は、使用前にユーザによって混合される２種類の成分のためのシステムに関する。
【背景技術】
【０００２】
様々な用途に関して、製品は、使用前にユーザが混ぜ合わせる必要がある２種類の成分を含む。しかしながら、保管と輸送のために、２種類の成分は、互いに分離しておく必要がある。なぜなら、そうしないと、製品が使用前に望ましくない方法で反応し得るためである。例えば、使用前に直接混ぜ合わせる必要がある二成分型コーティング又は接着剤は、このようにして包装されることが多い。
【０００３】
図１に、２種類の液体成分用の既知の製品が示されている。ここでは製品は、成分Ａが保持される第１のバケット１４を備える。さらに、製品は、第２の成分Ｂが保持される第２のバケット１５を備える。使用前、バケット１４、１５の蓋が開かれ、液体成分Ｂが第１のバケット１４及び液体成分Ａ中へ完全に移される。その後、液体成分Ａ及びＢは、通常、ミキサーを使用して混ぜ合わされ、このようにして製造された二成分型製品がそれに応じて使用される。
【０００４】
この種の既知の製品の欠点は、一方では、第１のバケット１４内に空の空間が存在し、この空間が不必要に高い保管及び輸送コストをもたらすことである。他方、さらに、ロジスティクスの労力がかさむことが不利である。それというのも、ある用途について、第１の成分を含有するバケットの正確な数と、第２の成分を含有するバケットの正確な数とがそれぞれ存在することを常に保証する必要があるためである。
【０００５】
さらに、移し替え及び混合の過程で、ユーザが製品自体又は製品由来の蒸気と望ましくなく接触するという危険がある。
【発明の概要】
【発明が解決しようとする課題】
【０００６】
したがって、本発明の目的は、一方で、より低い保管及び輸送コストを可能にし、他方で、製品の配合のためのロジスティクス労力を低減する、２種類の成分を包装するための改善されたシステムを提供することである。さらに、改善されたシステムは、使用の際に可能な限り単純、安全及び効率的であるように意図されている。
【課題を解決するための手段】
【０００７】
この目的は、２種類の成分を包装するためのシステムによって達成され、このシステムは下記を備える：
第１の成分を受け入れるための第１の容器であり、かつ蓋を有する第１の容器；
第２の成分を受け入れるための第２の容器であって、第１の容器が蓋で閉鎖されているときに第１の容器の容積内に配置されている第２の容器；及び
第２の容器を第１の容器に対して密封する混合ヘッド。
【０００８】
本明細書で提案された解決策は、第２の成分を第１の容器の容積内に一体化することにより、空間の大幅な節約を実現することができ、これにより保管と輸送のコストが削減されるという利点を提供する。本明細書で提案されたシステムは、両方の成分を別々に保管及び輸送することを可能にし、さらに、使用前に成分が混ぜ合わされる容器に両方の成分を保持することを可能にする。
【０００９】
本明細書で提案するシステムのさらなる利点は、ロジスティクスの労力を大幅に削減できることである。それというのも、両方の成分が常に一緒に包装され、第１の成分のユニット数と第２の成分のユニット数が常に正しい比率であることが自動的に保証されるからである。さらに、これによって、例えば一緒に属していない成分の混合などの作業ミスを排除することができる。
【００１０】
第２の容器を第１の容器に対して密封するための混合ヘッドを設けることはまた、２種類の成分を混合するための要素がシステムにすでに一体化されているという利点を提供する。これにより、第１の容器の蓋を開けることなく、成分を混ぜ合わせることが可能になる。このようにして、成分又は成分の蒸気とユーザの望ましくない接触を回避することができる。
【００１１】
本発明の核となる考えは、第２の容器と混合ヘッドを第１の容器内に一体化することにより、一方で、以前から知られている製品のロジスティクスと保管を改善すること、他方で、適用、特に、成分の混合における適用を単純化し、これをより安全にすることに含まれる。
【００１２】
第１の容器は、例えば、バケットとして、又は円筒形の容器として、又は円錐形の容器として、又は立方体の容器として、又は不規則な形状の容器として設計することができる。
【００１３】
例示的な実施形態では、システムは、２種類の液体成分を包装するように設計されている。
【００１４】
例示的な代替実施形態では、システムは、液体成分と、ペースト状、ペレット状、顆粒状又は粉末状の成分とを包装するために構成される。システムは、ここで、液体成分が第１の容器に包装されるように、又は液体成分が第２の容器に包装されるように構成することができる。
【００１５】
成分は、例えば、二成分型接着剤又は二成分型シーラント又は二成分型プライマであり得る。
【００１６】
システムによって包装される成分の具体例は次のとおりである：
例えばＳｉｋａｄｕｒ（登録商標）３１の商品名で入手可能な製品など、特にエポキシ樹脂をベースとする二成分型接着剤；
例えばＳｉｋａｆｌｏｏｒ（登録商標）３０４の商品名で入手可能な製品など、特にポリウレタンをベースとする二成分型シーラント；
例えばＳｉｋａｆｌｏｏｒ（登録商標）１５６の商品名で入手可能な製品など、特にエポキシ樹脂をベースとする二成分型プライマ。
【００１７】
第２の成分対第１の成分の体積の比は、例えば、１：１００〜１：１、又は１：５０〜１：２、又は１：２０〜１：３であり得る。
【００１８】
第２の容器の容積対第１の容器の容積の比は、例えば、１：１００〜１：１、又は１：５０〜１：２、又は１：２０〜１：３であり得る。
【００１９】
例示的な実施形態では、第１の容器の容積は、０．５ｄｍ３〜５０ｄｍ３、好ましくは１ｄｍ３〜３０ｄｍ３、好ましくは１．５ｄｍ３〜２５ｄｍ３、特に好ましくは２ｄｍ３〜２０ｄｍ３である。
【００２０】
このような容積を有する第１の容器を提供することにより、導入部で述べた利点を、特に、上記の容積を有する包装で通常使用される二成分型の建築材料（例えば、接着剤、プライマ、及びシーラントなど）に利用することがそれによって可能になるという利点が提供される。
【００２１】
蓋は、特に、蓋が閉じられたときに第１の容器が流体密及び／又は気密及び／又は蒸気密式に閉鎖されるように設計される。これを達成するために、蓋は、例えば、ねじ山を備えることができ、又は蓋は、ブリキ缶クロージャの方法で第１の容器を閉鎖することができる。
【００２２】
例示的な実施形態では、第１の密封要素が第２の容器に配置され、第２の密封要素が混合ヘッドに配置される。
【００２３】
２つの密封要素は、ここでは特に、それらが第２の容器を第１の容器から密封するために協働するように設計される。
【００２４】
ここでこれらの密封要素は様々な設計であることができる。
【００２５】
第１の例示的な改良では、第１の密封要素及び第２の密封要素はそれぞれねじ山を備え、それにより混合ヘッドは第２の容器を第１の容器から流体密及び／又は気密及び／又は蒸気密式に密封するために第２の容器にねじ留め可能である。
【００２６】
好ましい実施形態では、混合ヘッドはここで本質的に第２の容器のベース部分を形成する。
【００２７】
ねじ山を備えたこのような構成は、一方では確実な密封を達成できるという利点を提供し、他方では、混合ヘッドが第２の容器から、特に混合ヘッドの回転によって解放されるように混合ヘッドを外側から簡単に操作できるという利点を提供する。その結果、第１の容器の蓋を開けることなく、第２の成分を外側から第１の成分内に完全に移すことができる。
【００２８】
代替の改良では、第１の密封要素及び／又は第２の密封要素は、弾性要素として構成される。弾性要素は、ここでは特に密封リップとして構成される。
【００２９】
例示的な実施形態では、混合ヘッドはここで、密封要素が第２の容器を第１の容器から密封するように、第２の容器のベース部分上に配置可能であり、このベース部分は少なくとも１つの開口を有する。
【００３０】
弾性要素、特に密封リップを備えるこのような構成は、単に押すことによって第２の容器を密封できるという利点を提供する。さらに、第２の容器はここでまた、外側から、すなわち、第１の容器の蓋を開くことなく開けることができ、その結果、第２の成分は第１の成分内に完全に移される。
【００３１】
例示的な実施形態では、システムは、混合ヘッドを垂直に変位させるために混合ヘッドに操作可能に接続することができる延長要素、特に棒状の延長要素を備える。
【００３２】
このような延長要素は、第１の容器に対して第２の容器を開けるために混合ヘッドをわずかに変位させることができるだけでなく、成分を効率的に混ぜ合わせることができるように十分に遠くまで混合ヘッドを垂直に動かすことができるという利点を提供する。この場合も、第１の容器の蓋を開けることなくこれを行うことができる。
【００３３】
例示的な実施形態では、延長要素は、ねじ留め式接合によって混合ヘッドに操作可能に接続することができる。
【００３４】
例示的な実施形態では、延長要素は棒状の構成であり、第１の容器の蓋を通って押されるように設計されている。
【００３５】
延長要素は、例えば、混合ヘッドを回転運動に設定するために、自由端でドリル加工機械などに接続できるようにここで構成することができる。
【００３６】
例示的な実施形態では、混合ヘッドはシャフト及びディスクを含む。
【００３７】
例示的な実施形態では、混合ヘッドは撹拌ピンを備える。例示的な改良では、撹拌ピンは、それらが混合ヘッドから突出するように構成されている。撹拌ピンはここで、例えば、混合ヘッドから垂直、水平、又は斜めに突出することができる。
【００３８】
そのような撹拌ピンを取り付けることは、混合をより迅速に及び／又はより効率的に行うことができるという利点を提供する。
【００３９】
例示的な実施形態では、混合ヘッドは、混合ヘッドから水平に突出するスペーサ要素を備える。特に、スペーサ要素はここで、混合ヘッドのディスクの外縁に配置される。
【００４０】
これらのスペーサ要素は、それらが第１の容器の側壁に当接することにより、混合プロセス中に混合ヘッドをより中心に置くことができるという利点を有する。さらに、これらのスペーサ要素は、混合後に第１の容器から混合ヘッドを引き出すときにスクレーパとして使用することもできる。
【００４１】
例示的な実施形態では、第２の容器は、第１の容器の蓋に配置される。
【００４２】
代替の実施形態では、第２の容器は、少なくとも１つの開口を有するベース部分を備え、第１の容器の壁及び蓋によってさらに境界が定められる。
【００４３】
例示的な実施形態では、蓋は充填装置を有する。
【００４４】
例示的な実施形態では、第１の容器及び／又は第２の容器及び／又は混合ヘッドは、少なくとも部分的にプラスチック又はブリキ板又は鋼から形成される。
【００４５】
使用する製品又は使用する成分に応じて、容器又は混合ヘッド用の異なる材料が有利であり得る。
【００４６】
さらに、以下を備える製品が提案される：前述のシステム；第１の容器内に配置された第１の成分；第２の容器内に配置された第２の成分。
【００４７】
さらに、導入部で述べた課題を解決する方法がさらに提案される。一緒に包装された２種類の成分を保管及び使用する方法は以下のステップを含む：第１の容器と第２の容器を準備するステップであって、第２の容器は第１の容器の容積内に配置されているステップ；第２の容器を密封するための混合ヘッドを準備するステップ；第１の容器をある量の第１の成分で充填するステップ；第２の容器をある量の第２の成分で充填するステップ；２種類の成分を２つの容器内で保管するステップ；混合ヘッドを垂直方向に変位させ、それにより第１の容器に対して第２の容器を開け、それら成分を合わせるステップであって、この間、第１の容器は蓋によって閉鎖されているステップ；成分を混合するステップであって、ここで混合ヘッドは回転軸の周りで回転され、及び／又は、混合ヘッドは垂直方向に移動され、この間、第１の容器は蓋によって閉鎖されているステップ；及び、第１の容器を開け、第１の容器から混合物を取り出すことによって混合物を使用するステップ。
【００４８】
例示的な改良では、上述の方法は、前述のシステムを用いて実行される。
【００４９】
本発明の詳細及び利点を、例示的な実施形態に基づいて及び概略図を参照して、以下に記載する。
【図面の簡単な説明】
【００５０】
【図１】従来技術による２種類の成分を有する製品の概略的な図を示す。
【図２】２種類の成分を包装する例示的なシステムの概略的な図を示す。
【図３ａ】２種類の成分を有する例示的な製品の概略的な図を示す。
【図３ｂ】２種類の成分を有する例示的な製品の概略的な図を示す。
【図４ａ】例示的な混合ヘッドの概略的な図を示す。
【図４ｂ】例示的な混合ヘッドの概略的な図を示す。
【図４ｃ】例示的な混合ヘッドの概略的な図を示す。
【図５ａ】２種類の成分を有する例示的な製品の概略的な図を示す。
【図５ｂ】２種類の成分を有する例示的な製品の概略的な図を示す。
【図６】第１の容器と第２の容器との間の例示的な分離装置の概略的な図を示す。
【図７】例示的な混合ヘッドの概略的な図を示す。
【発明を実施するための形態】
【００５１】
図２に、２種類の成分を包装するためのシステム１が、例として概略的に示されている。システム１は、ここでは、蓋４を有する第１の容器２と、その中に配置された第２の容器３とを備える。第２の容器３は、ここでは、混合ヘッド５によって第１の容器２に対して密封される。この例示的な実施形態では、第２の容器３は、第１の容器２の蓋４に配置される。
【００５２】
この例示的な実施形態では、蓋４は、充填装置９及びクロージャ要素７を備える。クロージャ要素７は、例えば、ねじ山によって混合ヘッド５に配置することができる。その結果、クロージャ要素７は、混合ヘッド５から容易に取り外すことができ、クロージャ要素７の代わりに、例えば、ドリル加工機械を混合ヘッド５に操作可能に接続して、例えば、第２の容器３を開閉することができる、又は、混合ヘッド５を回転駆動することができる。
【００５３】
図３ａ及び３ｂにおいて、図２のシステム１はここでは使用状態にある、すなわち、例として、第１の成分Ａ及び第２の成分Ｂとともに、又はこれら２種類の成分Ａ、Ｂの混合物ととともに示される。図３ａでは、製品１２がここでは保管状態で示され、図３ｂでは、製品１２’が使用状態で示されている。
【００５４】
図３ａによる保管状態では、第１の成分Ａ及び第２の成分Ｂは互いに分離されている。混合ヘッド５は、ここでは第２の容器３を第１の容器２に対して密封する。成分Ａ、Ｂを混ぜ合わせるために、クロージャ要素７が取り除かれ、延長要素６が混合ヘッド５に操作可能に接続され、混合ヘッド５は垂直方向に変位され、それにより第２の成分Ｂは第１の容器２及び成分Ａ中へ全部移される。成分Ａ、Ｂをよりよく混ぜ合わせるために、混合ヘッド５をその後回転軸の周りで回転させることができる、又は、混合ヘッド５を垂直方向に上下に移動することができる。成分Ａ、Ｂを合わせている間及び成分Ａ、Ｂのさらなる混合の間、第１の容器２の蓋４は常に閉じたままである。これにより、成分Ａ、Ｂ又はこれらの成分Ａ、Ｂの蒸気とユーザとの間の望ましくない接触を防ぐことができる。
【００５５】
図４ａ〜４ｃにおいて、例えば図２によるシステム１で、又は図３ａ及び３ｂによる製品１２、１２’で使用できるような、混合ヘッド５の様々な例示的な実施形態が示される。
【００５６】
図示の例示的な実施形態によれば、混合ヘッド５はそれぞれ、シャフト１６及びディスク１１を備える。このディスク１１上にここでは撹拌ピン１７が配置される。さらに、このディスク１１上に第２の密封要素１０が配置される。第２の密封要素１０は、第２の容器３上に配置された第１の密封要素８と協働することができる。
【００５７】
図４ａ〜４ｃから分かるように、特にディスク１１及び撹拌ピン１７は、使用される成分Ａ、Ｂに対してそれぞれ調製される異なる変形形態で構成することができる。
【００５８】
図４ｃの混合ヘッド５の例示的な実施形態は、混合ヘッド５のディスク１１から水平に突出するスペーサ要素２０をさらに備える。これらのスペーサ要素２０は、例えば、それらが第１の容器２の側壁に当接することで、混合プロセス中に混合ヘッド５を中心に置く役割を果たすことができる。さらに、これらのスペーサ要素２０は、混合後に混合ヘッド５を第１の容器２から引き出すときにスクレーパとして使用することもできる。
【００５９】
図５ａ〜７に、製品１２及びその成分Ａ、Ｂの第２の例示的な実施形態が、例として示されている。図５ａ中、製品１２はここでは保管状態で示され、図５ｂ中、同じ製品１２’が使用状態で示され、図６中、第１の容器２と第２の容器３を分離するための分離装置が平面図で示され、図７中、例示的な混合ヘッド５が示されている。
【００６０】
これらの図から分かるように、この例示的な実施形態では、第２の容器３は、ベース部分１８によって第１の容器２から分離されている。第１の容器２の壁及び蓋４も、第２の容器３の境界を定める。ベース部分１８に配置されているのは少なくとも１つの開口１９である。製品１２が保管状態にあるとき（図５ａ）、ベース部分１８のこの開口１９は混合ヘッド５により密封される。ここでも、混合ヘッド５は密封要素を有し、第２の容器３も密封要素を有する。この例示的な実施形態では、混合ヘッド５上の第２の密封要素１０は、弾性要素、特に密封リップとして構成され、第２の容器３上の第１の密封要素８は、ベース部分１８の一部として設計される。
【００６１】
第１の成分Ａを第２の成分Ｂと混合するために、クロージャ要素７が再び取り除かれ、密封要素８、１０が第２の容器３をもはや密封しない程度まで混合ヘッド５が垂直方向に変位され、それにより第２の成分Ｂは、第１の容器２及び第１の成分Ａの中に完全に移される。
【００６２】
成分Ａ、Ｂをよりよく混合するために、特に延長要素６を使用して、混合ヘッド５をさらに垂直方向に変位することができる。成分Ａ、Ｂをさらに混ぜ合わせるために、混合ヘッド５を垂直方向に前後に移動することができる、又は混合ヘッド５をその回転軸の周りの回転運動で回転させることができる。
【００６３】
図６では、開口１９が設けられたベース部分１８が、例として上面図で示されている。ここで、ベース部分１８は、第１の容器２の壁によって横方向に境界を定められている。この図では、混合ヘッド５はベース部分１８の後ろに配置され、開口１９を閉鎖し、その結果、第２の容器３は第１の容器２から密封される。
【００６４】
図７に示されているのは、図５ａ及び５ｂによる製品１２、１２’で使用できる例示的な混合ヘッド５である。混合ヘッド５は再びシャフト１６及びディスク１１を有する。ここで、ディスク１１上には、第２の密封要素１０及び撹拌ピン１７の両方が配置されている。ここで第２の密封要素１０は、一方で、ベース部分１８の開口１９に直接作用するシート状弾性要素として示され、他方で、第２の容器３をさらに密封するために、ディスク１１の縁の密封リップとして示されている。
【符号の説明】
【００６５】
１    システム
２    第１の容器
３    第２の容器
４    蓋
５    混合ヘッド
６    延長要素
７    クロージャ要素
８    第１の密封要素
９    充填装置
１０    第２の密封要素
１１    ディスク
１２    保管状態の製品
１２’    使用状態の製品
１４    第１のバケット
１５    第２のバケット
１６    シャフト
１７    撹拌ピン
１８  ベース部分
１９  開口
２０  スペーサ要素
Ａ  第１の成分
Ｂ  第２の成分
【図１】
2021519731.tif 000003
【図２】
2021519731.tif 000004
【図３ａ】
2021519731.tif 000005
【図３ｂ】
2021519731.tif 000006
【図４ａ】
2021519731.tif 000007
【図４ｂ】
2021519731.tif 000008
【図４ｃ】
2021519731.tif 000009
【図５ａ】
2021519731.tif 000010
【図５ｂ】
2021519731.tif 000011
【図６】
2021519731.tif 000012
【図７】
2021519731.tif 000013
【国際調査報告】
2021519731.tif 000014
2021519731.tif 000015
2021519731.tif 000016
2021519731.tif 000017